(57)【要約】  本発明の目的は布カーペットである。本発明の布カーペットは、一般的な方法で結合した少なくとも２つの不可分の層から作られる布カーペットであって、通常は表面層である少なくとも１つの層が、１１００〜１５００ｇ．ｓ．ｍ．の基準重量の、１００％の羊毛ヤーンまたは羊毛ヤーンと一般的な織物布帛の１０％の混合物から作られ、固着させるか、縫うか、タフティングまたは縮充により、第２の布層（２）または工業的な布帛（３）と組み合わされる布カーペットである。
2007525272.tif 000002
【特許請求の範囲】
【請求項１】
一般的な方法で結合した少なくとも２つの不可分の層から作られる布カーペットであって、通常は表面層である少なくとも１つの層が、１１００〜１５００ｇ．ｓ．ｍ．の基準重量の、１００％の羊毛ヤーンまたは羊毛ヤーンと一般的な織物布帛の１０％の混合物から作られ、固着させるか、縫うか、タフティングまたは縮充により、第２の布層（２）または工業的な布帛（３）と組み合わされる、布カーペット。
【請求項２】
フリースのカバーまたはデザイン要素が表面上に、布（１）の表面高さで、またはそれより下に置かれる、請求項１記載の布カーペット。
【請求項３】
織物の片（４）、および／またはフリース片（６）、および／またはストリップ（８）、および／または平坦なパッチ（１１）、および／または要素（１２）、および／または平坦なアップリケ、および／または凸面デザイン物が、固着、縫製または縮充により布表面（１）に固定される、請求項１記載の布カーペット。
【請求項４】
布層（１）が縮充された羊毛織物布帛で形成され、横糸（１８）と縦糸（１６）の一部が非羊毛の布帛（１７）で作られる、請求項１記載の布カーペット。
【請求項５】
縮充された羊毛織物布帛でつくられた布層（１）が、描かれたグラフィック・デザイン（１９）で覆われ、通常の布（２０）または工業的な布帛（２１）の層と、タフティングするか、固着するか、縫われるか、縮充されて組み合わされる、請求項１記載の布カーペット。
【請求項６】
布層（１）はいくつかの切り込み（２２）を有し、これは細かい羊毛糸（２３）、または紡がれた羊毛の糸（２３）、織物布帛（２４）、ノッティングにより製造される布帛、織物布帛構造（２６）にプレスすることにより製造される布帛（２５）の形態のフリース部材で満たされる、請求項１記載の布カーペット。
【発明の詳細な説明】
【技術分野】
【０００１】
織物を取り付けたカーペットはポピュラーであり、織物をヤーンでノッティングするか、織るか、編むか、またはタフティングすることにより製造された製品形態を有している。その製品群は、ヤーンでタフティングした不織布で作られ、織物布または編まれた布帛の裏打ちを有し、通常ポリプロピレンまたはポリエステルと、縫われるかまたはニードリングされた羊毛で作られる。ライニング布帛はバックと呼ばれ、下側がラテックスまたは合成接着剤でコーティングされ、紡績糸ファイバーのループの保存のために使用される。
【０００２】
より高品質のカーペットはしばしば、第１のものと一緒に固着するか縫うことができる毛フェルト地で作られた第２のバックを有する。織物が取り付けられたカーペットの例は、ドイツ特許出願ＤＥ  １００４８１５２Ｃ１、実用新案ＤＥ  ２００  ２２  １７７  Ｕ１に記載され、ここでは、上面にフリース地を形成するヤーン部分が提供された、毛フェルト地が、ライニング織物として使用される。したがって、カーペットは毛フェルト地およびフリース地の両方の領域を含む上部表面を有する。フリース地表面は平坦に形成されることができるし、またヤーン部分の点接着、それらのニードリング、毛フェルト地のライニング布帛上への縫いつけまたはのり付けのような種種の方法で３次元的に形成することもできる。
【０００３】
本発明の目標は、手作りのカーペットの市場への提案の幅を広げることであり、それらの最初の形状を維持する非常に高い能力によって特徴づけられ、従って繰り返される巻き、およびほどきに対する抵抗性を有し、種種のプラスチックの形態および審美的な形態を、基体の布と種種の布帛とを組み合わせることにより得ることができ、これは新しいタイプの両面カーペットを創造する可能性を提供する。
【０００４】
本発明の布カーペットは、一般的な方法で結合した少なくとも２つの不可分の層から作られる。また、通常は表面層である少なくとも１つの層が、１１００〜１５００ｇ．ｓ．ｍ．の基準重量の、１００％の羊毛ヤーンまたは羊毛ヤーンと一般的な織物の布帛の１０％の混合物から作られる。固着させるか、縫うか、タフティングまたは縮充により、布帛または合成布帛の第２の層と組み合わせる。表面上にフリースのカバーまたはパターン要素を形成する布帛を組み合わせ、布表面またはその下のものと直に接触させ、織物の部分、片、平坦なデザインされた物、アップリケまたは凸面デザイン物が、固着、縫製または縮充により布表面に固定される。
【０００５】
布層は縮充された羊毛の織物布帛と、非羊毛の横糸および／または縦糸の部分で作られ、縮充された羊毛の織物布帛で作られた布層は、描かれたグラフィック・デザインで覆われており、通常の布の層または工業的な織物の層と結合され、すべての層はタフティングされ、固着され、または縮充される。布層は細かい糸、または紡がれた羊毛の糸の形態のフリース地、織物布帛、織物布帛構造にノッティングまたはプレスすることにより製造される布帛のフリース部分を有する切り込みを有し、これは固着される。
【０００６】
添付される図中の例示の製品に本発明の目的が示される。図１は、布２の第２の層、および工業的な布帛の層３と組み合わせられた布層１からできている布カーペットを示す。これらは固着、縫いつけ、または縮充により一緒にされる；図２は、織物要素４が織り込まれた布層１、および工業的な布帛の層３とからできている布カーペットを示す。これらは固着、縫いつけ、または縮充により一緒にされる；図３は、細い羊毛糸または他のフリース要素を形成する布帛で作られ、上方から見える、フリース６のパッチを固着するために作られた刻み目を有する布層１から構成される布カーペットを示す。好ましくは織機で、または織物表面をノッティングまたはプレスにより織物布帛表面にされて製造され、一方フリース要素６は織られた布帛７上に作られ、工業的な布帛３に固着される；図４は５〜２５ｍｍの幅の片８を固着させるための、横糸又は縦糸に沿って切られた刻み目５を有する布層１からできている布カーペットを示す。これらはついで織機で織り、ノッティング、またはプレスにより織物布帛７にされ、任意の高さのフリースを形成する。これは完成したカーペットの表面またはカーペットの要素にすぐ使用でき、工業的な布帛３の層により下側が保護される。図５は布層１および布層２を固着または縫製して作られる布カーペットを示す。これは種種のグラフィックデザイン９の切り込みを有し、これはカーペットの外側層であり、固着され、両面カーペットとして使用されることが意図される。
【０００７】
図６は、様々なグラフィック・デザイン９を有する布層１および布層２からなる布カーペットを示す。布層１および布層２は固着され、または縫製され、表面に形成された中空１０は固着され、または縫製されて、異なる色の布で作られていた同一のデザイン１１で、または異なる布帛で作られた要素１２で満たされる。固着されたカーペットの外側表面は両面カーペットとして使用されることが意図される。図７は、手または機械裁縫によって布層２と結合した、布層１からできている布カーペットを示す。フリース地表面に残されたモデルにしたがう通常の裁縫または裁縫の跡を有し、カーペットの外側表面は両面カーペットとして使用されることが意図される。図８は、布層１および布層２からなる布カーペットを示す。ここで切り取られたアップリケ１３は布層１の表面へ固着するかまたは縫いつけられる；図９は、布層１および布層２からなる布カーペットを示す。凸面１４が布層１中に、プレスまたはスタンプにより形成され、凸面の領域においてそれらの凸面を支持する、異なる布帛１５が補足される。図１０は、縦糸１６と横糸１８が離れ、非羊毛の布帛１７がある；図１１は非羊毛の布帛１７が横糸１８および縦糸１６に通される布織物１を示す；
【０００８】
図１２は描かれたグラフィック・デザイン１９で覆われている布層１と、通常の布２０または工業的な布帛２１の層と組み合わせてできた布カーペットを示す。層１、２０および２１はタフティングするか、固着するか、縫われるか、縮充される；図１３は、いくつかの縦糸１６または横糸１８を切断し、他の縦糸１６または横糸１８を糸３３で結び、または糸３３で継ぎ、縮充し、乾燥させた。図１４は、切り出された開口２７を有する布層１を示す。その端部は縮充または、織物２８または他の布帛２８が開口へ縫いつけられるか、それらの開口２７に挿入されるか、またはそれらの開口２７に縫いつけられるまで、そのままの形状に残される。図１５は、糸２９で様々な方向にタフティングされた布層１を示す。それはタフティングされた場所にクリーズ３０を形成し、ついで縮充され、乾燥される；図１６は、羊毛要素３１または他の布帛要素３２が、外側層の上に縫いつけられるか、または外側層と内側層に縫い込まれた布層１を示す。布層１はついで縮充され、乾燥される；図１７は、部分的に縦糸１６が取り去られた布帛１を示す。それは縮充の後にいくつかのデザイン要素を形成する；図１８は、横糸１８が取り去られた布帛１を示す。それは縮充の後にいくつかのデザイン要素を形成する；図１９は、意図された、表面３４の不均一な染色の結果を示す布帛１を示す。これは、長さ方向にねじり、ねじり状況下で糸３３で結び、かせ染色機中でその形状で布帛を染めることにより達成される。
【図１】
2007525272.tif 000003
【図２】
2007525272.tif 000004
【図３】
2007525272.tif 000005
【図４】
2007525272.tif 000006
【図５】
2007525272.tif 000007
【図６】
2007525272.tif 000008
【図７】
2007525272.tif 000009
【図８】
2007525272.tif 000010
【図９】
2007525272.tif 000011
【図１０】
2007525272.tif 000012
【図１１】
2007525272.tif 000013
【図１２】
2007525272.tif 000014
【図１３】
2007525272.tif 000015
【図１４】
2007525272.tif 000016
【図１５】
2007525272.tif 000017
【図１６】
2007525272.tif 000018
【図１７】
2007525272.tif 000019
【図１８】
2007525272.tif 000020
【図１９】
2007525272.tif 000021
【国際調査報告】
2007525272.tif 000022
2007525272.tif 000023